(57)【要約】【課題】カバー部材によって適正に開口部を覆うことができる電気接続箱、及び、ワイヤハーネスを提供することを目的とする。【解決手段】ワイヤハーネスＷＨに適用される電気接続箱１は、電子部品を収容する筐体本体４１と、筐体本体４１の開口部４７を閉鎖可能である蓋部４３ａ、蓋部４３ａから突出して形成され開口部４７に嵌合し筐体本体４１との間に外装材を保持する押え部４３ｂ、筐体本体４１に対する蓋部４３ａの回動支点となる支持部４３ｃ、蓋部４３ａと支持部４３ｃとの間に介在し押え部４３ｂを支持部４３ｃから離間させた位置で蓋部４３ａと支持部４３ｃとを連結する延長部４３ｄ、及び、延長部４３ｄによる蓋部４３ａと支持部４３ｃとの連結方向に対して押え部４３ｂの両側で筐体本体４１に係止される複数の係止部４３ｅを有するカバー部材４３とを備えることを特徴とする。【選択図】図２
2018133875.tif 000002
【特許請求の範囲】
【請求項１】
電子部品を収容する収容空間部を形成する壁体、及び、前記壁体に形成され前記収容空間部の内外を連通する開口部を有する筐体本体と、
前記開口部を閉鎖可能である蓋部、前記蓋部から突出して形成され前記蓋部が前記開口部を閉鎖した閉鎖状態で当該開口部に嵌合し前記筐体本体との間に前記電子部品と電気的に接続される配索材の外装材を保持する押え部、前記筐体本体に対する前記蓋部の回動支点となる支持部、前記蓋部と前記支持部との間に介在し前記押え部を前記支持部から離間させた位置で前記蓋部と前記支持部とを連結する延長部、及び、前記延長部による前記蓋部と前記支持部との連結方向に対して前記押え部の両側で前記筐体本体に係止される複数の係止部を有するカバー部材とを備えることを特徴とする、
電気接続箱。
【請求項２】
前記複数の係止部は、前記連結方向に対して前記押え部の前記支持部側に位置する内側係止部を含み、
前記内側係止部は、前記押え部の突出方向に沿って突出して形成され前記壁体に係止される係止爪部を有し、
前記係止爪部は、前記連結方向の前記支持部側の端部に設けられ当該連結方向に沿って傾斜した第１テーパ面、及び、前記突出方向の先端側の端部に設けられ当該突出方向に沿って傾斜した第２テーパ面を有する、
請求項１に記載の電気接続箱。
【請求項３】
前記延長部は、前記蓋部が前記開口部を閉鎖した閉鎖状態で前記壁体と対向し、
前記内側係止部は、前記延長部に設けられる、
請求項２に記載の電気接続箱。
【請求項４】
導電性の配索材と、
前記配索材に外装される外装材と、
前記配索材に電気的に接続される電気接続箱とを備え、
前記電気接続箱は、
前記配索材と電気的に接続される電子部品を収容する収容空間部を形成する壁体、及び、前記壁体に形成され前記収容空間部の内外を連通する開口部を有する筐体本体と、
前記開口部を閉鎖可能である蓋部、前記蓋部から突出して形成され前記蓋部が前記開口部を閉鎖した閉鎖状態で当該開口部に嵌合し前記筐体本体との間に前記外装材を保持する押え部、前記筐体本体に対する前記蓋部の回動支点となる支持部、前記蓋部と前記支持部との間に介在し前記押え部を前記支持部から離間させた位置で前記蓋部と前記支持部とを連結する延長部、及び、前記延長部による前記蓋部と前記支持部との連結方向に対して前記押え部の両側で前記筐体本体に係止される複数の係止部を有するカバー部材とを備えることを特徴とする、
ワイヤハーネス。
【発明の詳細な説明】
【技術分野】
【０００１】
本発明は、電気接続箱、及び、ワイヤハーネスに関する。
【背景技術】
【０００２】
車両等に搭載されるワイヤハーネスに適用される従来の電気接続箱として、例えば、特許文献１には、ブロック本体の内部に複数の電子部品を配線可能に収納する電気配線ブロックが開示されている。
【先行技術文献】
【特許文献】
【０００３】
【特許文献１】特開２００３−２０９９１４号公報
【発明の概要】
【発明が解決しようとする課題】
【０００４】
ところで、上述の特許文献１に記載の電気配線ブロックは、例えば、筐体に形成された開口部を、当該筐体に対して回動可能に支持されたカバー部材によって覆う場合がある。この場合に、電気配線ブロックは、例えば、筐体とカバー部材との間に配索材の外装材を保持した状態であっても、当該カバー部材によって適正に開口部を覆うことが望まれている。
【０００５】
本発明は、上記の事情に鑑みてなされたものであって、カバー部材によって適正に開口部を覆うことができる電気接続箱、及び、ワイヤハーネスを提供することを目的とする。
【課題を解決するための手段】
【０００６】
上記目的を達成するために、本発明に係る電気接続箱は、電子部品を収容する収容空間部を形成する壁体、及び、前記壁体に形成され前記収容空間部の内外を連通する開口部を有する筐体本体と、前記開口部を閉鎖可能である蓋部、前記蓋部から突出して形成され前記蓋部が前記開口部を閉鎖した閉鎖状態で当該開口部に嵌合し前記筐体本体との間に前記電子部品と電気的に接続される配索材の外装材を保持する押え部、前記筐体本体に対する前記蓋部の回動支点となる支持部、前記蓋部と前記支持部との間に介在し前記押え部を前記支持部から離間させた位置で前記蓋部と前記支持部とを連結する延長部、及び、前記延長部による前記蓋部と前記支持部との連結方向に対して前記押え部の両側で前記筐体本体に係止される複数の係止部を有するカバー部材とを備えることを特徴とする。
【０００７】
また、上記電気接続箱では、前記複数の係止部は、前記連結方向に対して前記押え部の前記支持部側に位置する内側係止部を含み、前記内側係止部は、前記押え部の突出方向に沿って突出して形成され前記壁体に係止される係止爪部を有し、前記係止爪部は、前記連結方向の前記支持部側の端部に設けられ当該連結方向に沿って傾斜した第１テーパ面、及び、前記突出方向の先端側の端部に設けられ当該突出方向に沿って傾斜した第２テーパ面を有するものとすることができる。
【０００８】
また、上記電気接続箱では、前記延長部は、前記蓋部が前記開口部を閉鎖した閉鎖状態で前記壁体と対向し、前記内側係止部は、前記延長部に設けられるものとすることができる。
【０００９】
上記目的を達成するために、本発明に係るワイヤハーネスは、導電性の配索材と、前記配索材に外装される外装材と、前記配索材に電気的に接続される電気接続箱とを備え、前記電気接続箱は、前記配索材と電気的に接続される電子部品を収容する収容空間部を形成する壁体、及び、前記壁体に形成され前記収容空間部の内外を連通する開口部を有する筐体本体と、前記開口部を閉鎖可能である蓋部、前記蓋部から突出して形成され前記蓋部が前記開口部を閉鎖した閉鎖状態で当該開口部に嵌合し前記筐体本体との間に前記外装材を保持する押え部、前記筐体本体に対する前記蓋部の回動支点となる支持部、前記蓋部と前記支持部との間に介在し前記押え部を前記支持部から離間させた位置で前記蓋部と前記支持部とを連結する延長部、及び、前記延長部による前記蓋部と前記支持部との連結方向に対して前記押え部の両側で前記筐体本体に係止される複数の係止部を有するカバー部材とを備えることを特徴とする。
【発明の効果】
【００１０】
本発明に係る電気接続箱、及び、ワイヤハーネスは、カバー部材において、支持部を回動支点として蓋部を筐体本体に対して回動させることで、当該蓋部によって筐体本体の壁体に設けられた開口部を閉鎖することができる。そして、電気接続箱は、蓋部によって開口部を閉鎖した閉鎖状態で、蓋部に設けられた押え部が開口部に嵌合し、筐体本体との間に電子部品と電気的に接続される配索材の外装材を保持する。この場合に、電気接続箱は、蓋部と支持部との間にこれらを連結する延長部が介在することで、押え部を支持部から相対的に離間させて位置させることができ、当該押え部を回動支点から相対的に離間させて位置させることができる。この構成により、電気接続箱は、カバー部材全体が円弧状の回動軌跡で開口部側に回動される際に、押え部の回動軌跡の半径を相対的に長く確保することができるので、押え部が開口部に嵌合する際の軌跡をより直線的にすることができる。これにより、電気接続箱は、押え部を適正に開口部に嵌合させ、当該押え部と筐体本体との間に外装材を保持することができる。そして、電気接続箱は、カバー部材が複数の係止部によって当該記押え部の両側で筐体本体に係止される。この結果、電気接続箱、及び、ワイヤハーネスは、筐体本体とカバー部材との間に配索材の外装材を保持した状態であっても、当該カバー部材によって適正に開口部を覆うことができる、という効果を奏する。
【図面の簡単な説明】
【００１１】
【図１】図１は、実施形態に係る電気接続箱の概略構成を表す斜視図である。
【図２】図２は、実施形態に係る電気接続箱の概略構成を表す部分斜視図である。
【図３】図３は、実施形態に係る電気接続箱のロアカバーの概略構成を表す部分平面図である。
【図４】図４は、実施形態に係る電気接続箱の押え部を含む部分斜視図である。
【図５】図５は、実施形態に係る電気接続箱の押え部を含む部分斜視図である。
【図６】図６は、実施形態に係る電気接続箱の内側係止部を含む部分斜視図である。
【発明を実施するための形態】
【００１２】
以下に、本発明に係る実施形態を図面に基づいて詳細に説明する。なお、この実施形態によりこの発明が限定されるものではない。また、下記実施形態における構成要素には、当業者が置換可能かつ容易なもの、あるいは実質的に同一のものが含まれる。
【００１３】
なお、図１は、アッパカバーを二点鎖線で省略して図示し、他図ではアッパカバーの図示自体を省略している。また、図１は、電子部品の一部を二点鎖線で省略して図示し、他図では電子部品の図示自体を省略している。また、図１は、配索材、外装材の一部を部分的に図示し、図３は、配索材、外装材の一部を二点鎖線で省略して図示し、図５は、外装材の一部を二点鎖線で省略して図示し、他図では配索材、外装材の図示自体を省略している。また、図１、図３、図５は、カバー部材の閉鎖状態を表し、図２、図４、図６は、カバー部材の開放状態を表す。また、以下の説明では、互いに交差する第１方向、第２方向、及び、第３方向のうち、第１方向を「第１幅方向Ｘ」といい、第２方向を「第２幅方向Ｙ」といい、第３方向を「高さ方向Ｚ」という。ここでは、第１幅方向Ｘと第２幅方向Ｙと高さ方向Ｚとは、相互に直交する。以下の説明では、高さ方向Ｚにおいて後述のアッパカバーが設けられる側を上側、後述のロアカバーが設けられる側を下側という場合がある。以下の説明で用いる各方向は、特に断りのない限り、各部が相互に組み付けられ、電気接続箱が車両に搭載された状態での方向として説明する。
【００１４】
［実施形態］
図１に示す本実施形態に係る電気接続箱１は、自動車等の車両に搭載され、ワイヤハーネスＷＨに組み込まれるものである。ワイヤハーネスＷＨは、例えば、車両に搭載される各装置間の接続のために、電源供給や信号通信に用いられる複数の配索材Ｗを束にして集合部品とし、コネクタ等で複数の配索材Ｗを各装置に接続するようにしたものである。ワイヤハーネスＷＨは、導電性の配索材Ｗと、内部に配索材Ｗが挿通される外装材Ｃと、配索材Ｗに電気的に接続される電気接続箱１とを備える。配索材Ｗは、例えば、金属棒、電線、電線束等によって構成される。金属棒は、導電性の棒状部材の外側を絶縁性の被覆部によって覆ったものである。電線は、複数の導電性の金属素線からなる導体部（芯線）の外側を絶縁性の被覆部によって覆ったものである。電線束は、当該電線を束ねたものである。外装材Ｃは、配索材Ｗに外装され当該配索材Ｗを保護するものであり、例えば、絶縁性の樹脂材料によって可撓性を有する略円筒状に形成されたコルゲートチューブである。ワイヤハーネスＷＨは、複数の配索材Ｗを束ねて集約すると共に、束ねられた配索材Ｗの端末に設けられた端子やコネクタ等を介して電気接続箱１が電気的に接続される。ワイヤハーネスＷＨは、この他、さらに、グロメット、プロテクタ、固定具等を含んで構成されてもよい。
【００１５】
電気接続箱１は、コネクタ、ヒューズ、リレー、コンデンサ、分岐部、電子制御ユニット等の電装品を集約して内部に収容するものである。電気接続箱１は、例えば、車両のエンジンルームや車両室内に設置される。電気接続箱１は、配索材Ｗ等を介して、バッテリ等の電源と、車両内に搭載される各種電子機器との間に接続されている。電気接続箱１は、電源から供給された電力を車両内の各種電子機器に分配する。電気接続箱１は、ジャンクションボックス、ヒューズボックス、リレーボックスなどとも呼ばれる場合があるが、本実施形態ではこれらを総称して電気接続箱と呼ぶ。
【００１６】
本実施形態の電気接続箱１は、電子部品２と、複数のブロック３と、筐体４とを備える。電気接続箱１は、電子部品２がブロック３に組み付けられた状態で筐体４内に収容される。電子部品２は、ブロック３に組み付けられた状態で筐体４内に設けられ、配索材Ｗが電気的に接続されるものである。電子部品２は、複数設けられる。電子部品２は、例えば、コネクタ、ヒューズ、リレー、コンデンサ、分岐部、トランジスタ、電子制御ユニット、これらをユニット化した電子部品ユニット等である。ブロック３は、電子部品２が組み付けられると共に、筐体４に対して着脱可能に組み付けられるものである。ブロック３は、多数のキャビティを有する。ブロック３は、当該キャビティに対して、高さ方向Ｚの下側から配索材Ｗの端末に設けられる端子やコネクタが嵌合されると共に高さ方向Ｚの上側から電子部品２が嵌合されることで、電子部品２と配索材Ｗとを電気的に接続して保持する。電子部品２は、ブロック３に組み付けられた状態で筐体４の収容空間部４４内に収容される。以下、各図を参照して電気接続箱１の筐体４の各構成について詳細に説明する。
【００１７】
筐体４は、図１、図２、図３に示すように、内部に形成される収容空間部４４に電子部品２を収容するものである。筐体４は、筐体本体としてのロアカバー４１、蓋部材としてのアッパカバー４２、及び、カバー部材４３とを備える。筐体４は、ロアカバー４１とアッパカバー４２とカバー部材４３とが組み合わさって全体として略直方体箱状に形成される。本実施形態の筐体４は、全体として、第１幅方向Ｘに沿った方向が長辺、第２幅方向Ｙに沿った方向が短辺となる略直方体箱状に形成される。筐体４は、ロアカバー４１、アッパカバー４２が高さ方向Ｚに対して分割された２層分割構造となっている。筐体４は、ロアカバー４１、アッパカバー４２が所定の積層方向、ここでは、高さ方向Ｚに沿って積層され相互に組み付けられると共に内部に複数の電子部品２を収容する収容空間部４４を区画する。また、筐体４は、カバー部材４３がロアカバー４１に対して回動可能に支持されており、ロアカバー４１に形成された開口部４７を当該カバー部材４３によって閉鎖可能に構成される。ロアカバー４１、アッパカバー４２、及び、カバー部材４３は、絶縁性の合成樹脂によって形成される。ロアカバー４１とカバー部材４３とは、一体で形成され、アッパカバー４２は、これらロアカバー４１、カバー部材４３とは別体に形成される。
【００１８】
より具体的には、ロアカバー４１は、電子部品２が組み付けられる収容空間部４４を形成する主たる部材である。ロアカバー４１は、鉛直方向上側に開口を有する皿状（トレイ状）の部材である。ロアカバー４１は、側壁部４５と、底部４６とを有し、これら側壁部４５と底部４６とによって中空状に形成される。側壁部４５は、略矩形筒状に形成された壁体であり、電子部品２等を収容する収容空間部４４を形成する。底部４６は、側壁部４５の一方の開口（高さ方向Ｚの下側の開口）を塞ぐ底体である。アッパカバー４２は、ロアカバー４１の鉛直方向上側の開口を塞ぐ蓋状の部材である。筐体４は、ロアカバー４１の開口とアッパカバー４２とが対向するようにして、ロアカバー４１の高さ方向Ｚの上側にアッパカバー４２が組み付けられる。筐体４は、ロアカバー４１とアッパカバー４２とが種々の形式の係止機構を介して係止される。そして、筐体４は、ロアカバー４１、及び、アッパカバー４２によって内部に収容空間部４４が形成される。収容空間部４４は、ロアカバー４１、及び、アッパカバー４２によって区画され、当該ロアカバー４１、及び、アッパカバー４２によって囲われた空間である。すなわち、収容空間部４４は、第１幅方向Ｘ、及び、第２幅方向Ｙがロアカバー４１の側壁部４５によって区画され、高さ方向Ｚの下側がロアカバー４１の底部４６によって区画され、高さ方向Ｚの上側がアッパカバー４２によって区画される。電気接続箱１は、この収容空間部４４内に複数のブロック３が設けられる。
【００１９】
また、ロアカバー４１は、側壁部４５、底部４６に形成され収容空間部４４の内外を連通する開口部４７、及び、挿通孔４８を有する。開口部４７は、側壁部４５に形成される。開口部４７は、カバー部材４３によって開閉される部分である。開口部４７は、側壁部４５において、第１幅方向Ｘの一方側の壁面、すなわち、側壁部４５において第２幅方向Ｙに沿った壁面のうちの一方の壁面に、第１幅方向Ｘに沿って当該壁面を貫通して形成される。開口部４７は、略矩形状に形成され、側壁部４５の当該壁面の高さ方向Ｚの上側の端部から下側の端部まで貫通するように高さ方向Ｚに沿って延在して形成される。開口部４７は、側壁部４５の当該壁面において第２幅方向Ｙの中間部位に形成されており、すなわち、第２幅方向Ｙの両側に側壁部４５の壁面として端部壁面４５Ａ、４５Ｂが残るように形成されている。つまり、開口部４７は、側壁部４５において、第２幅方向Ｙに沿って端部壁面４５Ａと端部壁面４５Ｂとの間に形成される。ここでは、開口部４７は、側壁部４５において、端部壁面４５Ｂの第２幅方向Ｙに沿った長さが端部壁面４５Ａの第２幅方向Ｙに沿った長さより長くなる位置に形成される。一方、挿通孔４８は、底部４６に形成される。挿通孔４８は、ブロック３に組み付けられた配索材Ｗが挿通されると共に外装材Ｃの端部を保持する部分である。挿通孔４８は、高さ方向Ｚに沿って当該底部４６を貫通して形成される。挿通孔４８は、略円形状に形成されると共に開口部４７と連通される。挿通孔４８は、第２幅方向Ｙに対して開口部４７とほぼ同等の位置に形成されると共に、第１幅方向Ｘに沿って開口部４７側に延在し当該開口部４７と連通するように形成される。挿通孔４８は、内周面が高さ方向Ｚの下側に延在し鍔部４８ａ（図４、図５も参照）を形成する。挿通孔４８は、鍔部４８ａの内周面が外装材Ｃの外形形状に応じた曲面状に形成され、当該内周面に複数の保持リブ部４８ｂが形成されている。保持リブ部４８ｂは、外装材Ｃの外表面に形成された凹凸部に噛み込んで当該外装材Ｃを保持するものである。筐体４は、開口部４７が開放された状態で、各ブロック３に組み付けられた配索材Ｗが、当該挿通孔４８を介して収容空間部４４の内外に渡って挿通されると共に各ブロック３が組み付けられる。その後、筐体４は、鍔部４８ａの保持リブ部４８ｂに外装材Ｃの端部が保持され、この状態でカバー部材４３によって開口部４７が閉鎖される。
【００２０】
カバー部材４３は、ロアカバー４１と一体で形成され、ロアカバー４１に対して回動可能に支持されており、開口部４７を閉鎖すると共に筐体４との間に外装材Ｃの端部を保持する部分である。具体的には、カバー部材４３は、蓋部４３ａ、押え部４３ｂ、支持部４３ｃ、延長部４３ｄ、及び、複数の係止部４３ｅを有し、これらがロアカバー４１と共に一体で形成される。
【００２１】
蓋部４３ａは、開口部４７を閉鎖可能である。蓋部４３ａは、開口部４７を覆うために十分な大きさの略矩形板状に形成される。
【００２２】
押え部４３ｂは、蓋部４３ａから突出して形成された部分である。押え部４３ｂは、蓋部４３ａが開口部４７を閉鎖した閉鎖状態で当該開口部４７に嵌合しロアカバー４１との間に外装材Ｃを保持する。押え部４３ｂは、蓋部４３ａの高さ方向Ｚの下側の縁部から、蓋部４３ａが開口部４７を閉鎖した閉鎖状態で開口部４７が位置する側に突出して形成される。押え部４３ｂは、開口部４７内に嵌合し挿通孔４８内に進出する位置に形成される。押え部４３ｂは、突出先端面が外装材Ｃの外形形状に応じた曲面状に形成され、当該突出先端面に保持リブ部４３ｂａが形成されている。保持リブ部４３ｂａは、上述した保持リブ部４８ｂと同様に、外装材Ｃの外表面に形成された凹凸部に噛み込んで当該外装材Ｃを保持するものである。押え部４３ｂは、蓋部４３ａが開口部４７を閉鎖した閉鎖状態で当該開口部４７に嵌合し第１幅方向Ｘに対して挿通孔４８の鍔部４８ａと対向し、鍔部４８ａとの間に外装材Ｃを挟み込む（図５も参照）。そして、押え部４３ｂは、当該鍔部４８ａと共に保持リブ部４８ｂ、４３ｂａを介して当該外装材Ｃを保持する。
【００２３】
支持部４３ｃは、ロアカバー４１に対する蓋部４３ａの回動支点となる部分である。本実施形態の支持部４３ｃは、ロアカバー４１の側壁部４５において端部壁面４５Ｂの端部に設けられる。支持部４３ｃは、第２幅方向Ｙに対して端部壁面４５Ｂの開口部４７側とは反対側の端部に形成される。支持部４３ｃは、端部壁面４５Ｂの当該端部に、高さ方向Ｚに沿って延在して形成される。ここでは、支持部４３ｃは、高さ方向Ｚに沿った回動軸線Ｃ１を回動中心とするヒンジ部として構成される。
【００２４】
延長部４３ｄは、蓋部４３ａと支持部４３ｃとの間に介在し、押え部４３ｂを支持部４３ｃから離間させた位置で蓋部４３ａと支持部４３ｃとを連結する部分である。延長部４３ｄは、高さ方向Ｚに沿った長さが蓋部４３ａと同等の略矩形板状に形成される。さらに言えば、延長部４３ｄは、側壁部４５の端部壁面４５Ｂとほぼ同様の大きさの略矩形板状に形成される。延長部４３ｄは、高さ方向Ｚ、及び、板厚方向と交差する方向の一方の端部に蓋部４３ａが接続され、他方の端部に支持部４３ｃが接続される。つまり、蓋部４３ａと延長部４３ｄとは、連続して形成され、全体として略矩形板状に形成される。また、延長部４３ｄは、支持部４３ｃに対して回動軸線Ｃ１を回動中心として回動可能に支持される。この構成により、蓋部４３ａは、支持部４３ｃに対して延長部４３ｄを介して回動軸線Ｃ１を回動中心として回動可能に支持される。延長部４３ｄは、蓋部４３ａが開口部４７を閉鎖した閉鎖状態で、第１幅方向Ｘに沿って側壁部４５の端部壁面４５Ｂと対向して位置する。
【００２５】
複数の係止部４３ｅは、図２、図４、図５に示すように、延長部４３ｄによる蓋部４３ａと支持部４３ｃとの連結方向に対して押え部４３ｂの両側でロアカバー４１に係止される部分である。ここで、延長部４３ｄによる蓋部４３ａと支持部４３ｃとの連結方向は、蓋部４３ａが開口部４７を閉鎖した閉鎖状態で第２幅方向Ｙに沿った方向に相当する。本実施形態の複数の係止部４３ｅは、内側係止部４３ｆ、第１外側係止部４３ｇ、及び、第２外側係止部４３ｈの合計３つを含んで構成される。
【００２６】
内側係止部４３ｆは、延長部４３ｄによる連結方向に対して押え部４３ｂの支持部４３ｃ側に位置する。内側係止部４３ｆは、延長部４３ｄの高さ方向Ｚの下側の端部に設けられる。内側係止部４３ｆは、押え部４３ｂの突出方向に沿って突出して形成される係止爪部４３ｉを有する。ここで、押え部４３ｂの突出方向は、蓋部４３ａが開口部４７を閉鎖した閉鎖状態で第１幅方向Ｘに沿った方向に相当する。係止爪部４３ｉは、蓋部４３ａが開口部４７を閉鎖した閉鎖状態で、第１幅方向Ｘに沿って側壁部４５の端部壁面４５Ｂ側に突出した爪状に形成され、ロアカバー４１に係止される。ここでは、係止爪部４３ｉは、側壁部４５の端部壁面４５Ｂの高さ方向Ｚの下側の端部に形成された内側段差係止部４４ａに係止される。
【００２７】
第１外側係止部４３ｇ、第２外側係止部４３ｈは、延長部４３ｄによる連結方向に対して押え部４３ｂの支持部４３ｃ側とは反対側に位置する。第１外側係止部４３ｇは、延長部４３ｄによる連結方向に対して蓋部４３ａの延長部４３ｄ側とは反対側の端部に設けられる。第１外側係止部４３ｇは、蓋部４３ａの当該端部に、高さ方向Ｚに沿って延在して形成される。第１外側係止部４３ｇ、押え部４３ｂの突出方向に沿って突出して形成される係止爪部４３ｊを有する。係止爪部４３ｊは、高さ方向Ｚに沿って延在して形成される。係止爪部４３ｊは、蓋部４３ａが開口部４７を閉鎖した閉鎖状態で、第１幅方向Ｘに沿って側壁部４５の端部壁面４５Ａ側に突出した爪状に形成され、ロアカバー４１に係止される。ここでは、係止爪部４３ｊは、側壁部４５の端部壁面４５Ａの第２幅方向Ｙの開口部４７の端部に高さ方向Ｚに沿って形成された第１外側段差係止部４４ｂに係止される。第２外側係止部４３ｈは、第１外側係止部４３ｇの高さ方向Ｚの下側の端部に設けられる。第２外側係止部４３ｈは、押え部４３ｂの突出方向に沿って突出して形成される係止爪部４３ｋを有する。係止爪部４３ｋは、蓋部４３ａが開口部４７を閉鎖した閉鎖状態で、第１幅方向Ｘに沿って側壁部４５の端部壁面４５Ａ側に突出した爪状に形成され、ロアカバー４１に係止される。ここでは、係止爪部４３ｋは、側壁部４５の端部壁面４５Ａの高さ方向Ｚの下側の端部に形成された第２外側段差係止部４４ｃ（特に図４参照）に係止される。
【００２８】
ここでさらに、本実施形態の内側係止部４３ｆを構成する係止爪部４３ｉは、図６に示すように、第１テーパ面４３ｌ、及び、第２テーパ面４３ｍを有する。第１テーパ面４３ｌ、第２テーパ面４３ｍは、ともに、内側段差係止部４４ａに対する係止爪部４３ｉの誘い面として機能する部分である。第１テーパ面４３ｌ、第２テーパ面４３ｍは、回動軸線Ｃ１を回動中心としたカバー部材４３の閉鎖位置側への回動に伴って内側段差係止部４４ａの端部と当接し、係止爪部４３ｉを内側段差係止部４４ａとの係止位置側に案内する。第１テーパ面４３ｌは、延長部４３ｄによる連結方向の支持部４３ｃ側の端部に設けられる。第１テーパ面４３ｌは、当該延長部４３ｄによる連結方向に沿って傾斜した傾斜面として形成される。第１テーパ面４３ｌは、回動軸線Ｃ１を回動中心としたカバー部材４３の閉鎖位置側への回動の初期に内側段差係止部４４ａの端部と当接し、係止爪部４３ｉを内側段差係止部４４ａとの係止位置側に案内する。第２テーパ面４３ｍは、係止爪部４３ｉの突出方向の先端側の端部に設けられる。第２テーパ面４３ｍは、係止爪部４３ｉの突出方向に沿って傾斜した傾斜面として形成される。第２テーパ面４３ｍは、回動軸線Ｃ１を回動中心としたカバー部材４３の閉鎖位置側への回動の後期に内側段差係止部４４ａの端部と当接し、係止爪部４３ｉを内側段差係止部４４ａとの係止位置側に案内する。
【００２９】
上記のように構成される電気接続箱１は、例えば、まず、各ブロック３に配索材Ｗが組み付けられる。その後、電気接続箱１は、開口部４７が開放された状態で、各ブロック３が挿通孔４８に配索材Ｗを通しながら筐体４の収容空間部４４内に収容され、側壁部４５に組み付けられる。そして、電気接続箱１は、配索材Ｗに外装された外装材Ｃの端部が挿通孔４８の鍔部４８ａに設置され、この状態でカバー部材４３が回動軸線Ｃ１を回動中心として開口部４７の閉鎖位置側へ回動され開口部４７を閉鎖する。電気接続箱１は、蓋部４３ａが開口部４７を閉鎖した閉鎖状態で、押え部４３ｂと鍔部４８ａとの間に外装材Ｃが挟み込まれ、保持リブ部４８ｂ、４３ｂａを介して当該外装材Ｃが保持される。そして、電気接続箱１は、内側係止部４３ｆ、第１外側係止部４３ｇ、第２外側係止部４３ｈがそれぞれ内側段差係止部４４ａ、第１外側段差係止部４４ｂ、第２外側段差係止部４４ｃに係止される。この結果、電気接続箱１は、蓋部４３ａが開口部４７を閉鎖した閉鎖状態で、カバー部材４３がロアカバー４１に係止され、カバー部材４３によってロアカバー４１に形成された開口部４７を覆うことができる。
【００３０】
以上で説明した電気接続箱１、ワイヤハーネスＷＨは、カバー部材４３において、支持部４３ｃを回動支点として蓋部４３ａをロアカバー４１に対して回動させることで、当該蓋部４３ａによってロアカバー４１の側壁部４５に設けられた開口部４７を閉鎖することができる。そして、電気接続箱１は、蓋部４３ａによって開口部４７を閉鎖した閉鎖状態で、蓋部４３ａに設けられた押え部４３ｂが開口部４７に嵌合し、ロアカバー４１との間に外装材Ｃを保持する。この場合に、電気接続箱１は、蓋部４３ａと支持部４３ｃとの間にこれらを連結する延長部４３ｄが介在することで、押え部４３ｂを支持部４３ｃから相対的に離間させて位置させることができ、当該押え部４３ｂを回動支点から相対的に離間させて位置させることができる。この構成により、電気接続箱１は、カバー部材４３全体が円弧状の回動軌跡で開口部４７側に回動される際に、当該押え部４３ｂの回動軌跡の半径を相対的に長く確保することができるので、押え部４３ｂが開口部４７に嵌合する際の軌跡をより直線的にすることができる。これにより、電気接続箱１は、例えば、押え部４３ｂを開口部４７の縁部等に干渉させることなく、適正に開口部４７に嵌合させロアカバー４１との間に外装材Ｃを保持することができる。言い換えれば、電気接続箱１は、例えば、外装材Ｃを確実に保持すべく、押え部４３ｂを相対的に大きくしても、当該押え部４３ｂを開口部４７の縁部等に干渉させることなく、適正に開口部４７に嵌合させロアカバー４１との間に外装材Ｃを保持することができる。そして、電気接続箱１は、カバー部材４３が複数の係止部４３ｅによって当該記押え部４３ｂの両側でロアカバー４１に確実に係止される。この結果、電気接続箱１、ワイヤハーネスＷＨは、ロアカバー４１とカバー部材４３との間に配索材Ｗの外装材Ｃを保持した状態であっても、当該カバー部材３によって適正に開口部４７を覆うことができる。これにより、電気接続箱１、ワイヤハーネスＷＨは、押え部４３ｂによる外装材Ｃの保持を適正に行うことができ、例えば、当該押え部４３ｂにおける止水性能等を確実に確保することができる。
【００３１】
さらに、以上で説明した電気接続箱１、ワイヤハーネスＷＨは、押え部４３ｂの支持部４３ｃ側に位置する内側係止部４３ｆにおいて、側壁部４５に係止される係止爪部４３ｉが第１テーパ面４３ｌ、及び、第２テーパ面４３ｍを有するように形成される。この構成により、電気接続箱１は、回動軸線Ｃ１を回動中心としてカバー部材４３を閉鎖位置側へ回動させる際に、まず、回動初期に、第１テーパ面４３ｌが係止爪部４３ｉを内側段差係止部４４ａとの係止位置側に案内する。その後、電気接続箱１は、回動後期に、第２テーパ面４３ｍが係止爪部４３ｉを内側段差係止部４４ａとの係止位置側に案内する。つまり、電気接続箱１は、カバー部材４３の閉鎖位置側への回動に伴って第１テーパ面４３ｌと第２テーパ面４３ｍとによって段階的に係止爪部４３ｉを内側段差係止部４４ａとの係止位置側に案内することができる。この結果、電気接続箱１は、カバー部材４３を滑らかに閉鎖位置側に案内し、蓋部４３ａによって開口部４７が閉鎖された閉鎖状態に円滑に遷移させることができる。これにより、電気接続箱１は、カバー部材４３によって開口部４７を覆う際の作業性を向上することができる。
【００３２】
さらに、以上で説明した電気接続箱１、ワイヤハーネスＷＨは、蓋部４３ａが開口部４７を閉鎖した閉鎖状態で延長部４３ｄが側壁部４５の端部壁面４５Ｂと対向して位置し、当該延長部４３ｄに設けられた内側係止部４３ｆが当該端部壁面４５Ｂに係止される。この構成により、電気接続箱１は、内側係止部４３ｆを介して延長部４３ｄを側壁部４５の端部壁面４５Ｂに確実に係止することができる。この結果、電気接続箱１は、例えば、蓋部４３ａが開口部４７を閉鎖した閉鎖状態において、カバー部材４３が延長部４３ｄの部分から開放側に外れてしまうことを確実に抑制することができる。この点でも、電気接続箱１、ワイヤハーネスＷＨは、当該カバー部材３によって適正に開口部４７を覆うことができる。
【００３３】
なお、上述した本発明の実施形態に係る電気接続箱、及び、ワイヤハーネスは、上述した実施形態に限定されず、特許請求の範囲に記載された範囲で種々の変更が可能である。
【００３４】
以上の説明では、係止爪部４３ｉは、第１テーパ面４３ｌ、第２テーパ面４３ｍを有するものとして説明したがこれに限らない。また、内側係止部４３ｆは、延長部４３ｄに設けられるものとして説明したがこれに限らない。複数の係止部４３ｅは、第１外側係止部４３ｇ、及び、第２外側係止部４３ｈを含んで構成されるものとして説明したがこれに限らずいずれか一方であってもよい。
【００３５】
以上で説明した電気接続箱１は、車両用のワイヤハーネスＷＨに適用された場合を例示したがこれに限らない。
【００３６】
以上で説明した筐体４は、ロアカバー４１、及び、アッパカバー４２が分割された２層分割構造となっているものとして説明したがこれに限らず、例えば、３分割であってもよい。
【符号の説明】
【００３７】
１    電気接続箱
２    電子部品
４１    ロアカバー（筐体本体）
４３    カバー部材
４３ａ    蓋部
４３ｂ    押え部
４３ｃ    支持部
４３ｄ    延長部
４３ｅ    係止部
４３ｆ    内側係止部
４３ｉ、４３ｊ、４３ｋ    係止爪部
４３ｌ    第１テーパ面
４３ｍ    第２テーパ面
４４    収容空間部
４５    側壁部（壁体）
４７    開口部
Ｃ    外装材
Ｗ    配索材
ＷＨ    ワイヤハーネス
【図１】
2018133875.tif 000003
【図２】
2018133875.tif 000004
【図３】
2018133875.tif 000005
【図４】
2018133875.tif 000006
【図５】
2018133875.tif 000007
【図６】
2018133875.tif 000008